(57)【特許請求の範囲】
【請求項１】
映像音声データを記録媒体に記録再生するＡＶ装置であって、
ＡＴＡＰＩ仕様のインタフェースを有し、接続プラグが背面に設けられたプラグイン式のドライブユニットと、ＡＶ装置の前面パネルに設けられ、前記ドライブユニットを装着するドライブユニット装着部と、前記ドライブユニットの接続プラグを接続する、前記ドライブユニット装着部に設けられた接続コネクタと、前記ドライブユニットが前記ドライブユニット装着部に挿入されたとき、前記ドライブユニットの接続プラグが前記ドライブユニット装着部の接続コネクタに接続される前に作動して、ドライブユニットの装着を検出する検出手段と、前記検出手段によりドライブユニットの装着が検出されたとき、ＡＶ装置の電源をＯＦＦにする制御手段と、複数の操作キーと表示部とが前面に設けられ、接続プラグが背面に設けられたプラグイン式の操作ユニットと、ＡＶ装置の前面パネルに設けられ、前記操作ユニットを装着する操作ユニット装着部と、前記操作ユニットの接続プラグを接続する、前記操作ユニット装着部に設けられた接続コネクタと、複数の入出力端子が前面に設けられ、接続プラグが背面に設けられたプラグイン式の入出力ユニットと、ＡＶ装置の前面パネルに設けられ、前記入出力ユニットを装着する入出力ユニット装着部と、前記入出力ユニットの接続プラグを接続する、前記入出力ユニット装着部に設けられた接続コネクタとを備えたことを特徴とするＡＶ装置。
【請求項２】
映像音声データを記録媒体に記録再生するＡＶ装置であって、
ＡＴＡＰＩ仕様のインタフェースを有し、接続プラグが背面に設けられたプラグイン式のドライブユニットと、ＡＶ装置の前面パネルに設けられ、前記ドライブユニットを装着するドライブユニット装着部と、前記ドライブユニットの接続プラグを接続する、前記ドライブユニット装着部に設けられた接続コネクタと、複数の操作キーと表示部とが前面に設けられ、接続プラグが背面に設けられたプラグイン式の操作ユニットと、ＡＶ装置の前面パネルに設けられ、前記操作ユニットを装着する操作ユニット装着部と、前記操作ユニットの接続プラグを接続する、前記操作ユニット装着部に設けられた接続コネクタと、複数の入出力端子が前面に設けられ、接続プラグが背面に設けられたプラグイン式の入出力ユニットと、ＡＶ装置の前面パネルに設けられ、前記入出力ユニットを装着する入出力ユニット装着部と、前記入出力ユニットの接続プラグを接続する、前記入出力ユニット装着部に設けられた接続コネクタとを備えたことを特徴とするＡＶ装置。
【請求項３】
前記ドライブユニットが前記ドライブユニット装着部に挿入されたとき、ドライブユニットの装着を検出する検出手段と、前記検出手段によりドライブユニットの装着が検出されたとき、ＡＶ装置の電源をＯＦＦにする制御手段とを更に備えたことを特徴とする請求項２記載のＡＶ装置。
【請求項４】
前記検出手段は、前記ドライブユニットが前記ドライブユニット装着部に挿入されたとき、前記ドライブユニットの接続プラグが前記ドライブユニット装着部の接続コネクタに接続される前に作動して、ドライブユニットの装着を検出する検出手段であることを特徴とする請求項３記載のＡＶ装置。
【発明の詳細な説明】
【技術分野】
【０００１】
本発明は、映像音声データを記録媒体に記録再生するＡＶ（Ａｕｄｉｏ  Ｖｉｓｕａｌ）装置に係り、特にＡＶ装置に装着されているドライブユニット等を所望のユニットに交換することができるＡＶ装置に関する。
【背景技術】
【０００２】
一般に、ＡＶ装置には、ＤＶＤ（Ｄｉｇｉｔａｌ  Ｖｅｒｓａｔｉｌｅ  Ｄｉｓｋ）等の光ディスクに記録された映像音声データを再生するＤＶＤプレイヤやＤＶＤ等の光ディスクに映像音声信号を記録再生するＤＶＤレコーダ等のドライブユニットが装着されていて、それらのドライブユニットがＡＶ装置の筐体に固定されている。そのため、ＡＶ装置に装着されているドライブユニットをユーザが好みに合わせて所望のドライブユニットに交換することができないという問題点があった。また、ＡＶ装置のドライブユニットが故障した場合、故障したドライブユニットの修理のみでなく、故障したしたＡＶ装置本体の修理を依頼しなければならず、ドライブユニットが故障したＡＶ装置の修理を依頼している間、ユーザはＡＶ装置を全く使用することができないという問題点があった。また、メーカは、ＡＶ装置を商品毎に開発しなければならないため、開発に多くの時間を費やしなければならず、開発コストを低減することができないという問題点があった。
背景技術としては、音声再生が可能な音響ユニットを自動車のダッシュボードに固定された筐体に着脱可能に収納し、音響ユニットを筐体に電気的に接続してロックするようにしたものがあった（例えば、特許文献１参照）。
また、記録媒体の駆動部と機器の操作部とを分離ユニットに搭載し、分離ユニットをスピーカに接続可能又はスピーカを内蔵した機器本体に装着することができるようにしたものがあった（例えば、特許文献２参照）。
また、電子機器の本体の前面の操作パネルの装着の有無を検出して、操作パネルが電子機器の本体から取り外されている場合、電子機器の本体をロック状態にするようにしたものがあった（例えば、特許文献３参照）。
また、着脱機構を有するカーステレオユニットを、受信用アンテナ、左右チャンネル用スピーカ、ＡＣ／ＤＣコンバータを内蔵した電源回路を備えた筐体に装着することができるようにしたものがあった（例えば、特許文献４参照）。
【特許文献１】特開平１１−３４８６７５号公報
【特許文献２】特開平６−２７５０５９号公報
【特許文献３】特開平６−２３９１８２号公報
【特許文献４】実開平５−８６１８８号公報
【発明の開示】
【発明が解決しようとする課題】
【０００３】
しかしながら、背景技術で述べたもののうち最初のものにおいては、音声再生が可能な音響ユニットを自動車のダッシュボードに固定された筐体に着脱可能に収納し、音響ユニットを筐体に電気的に接続してロックすることができたが、音響ユニットを車載用装置、携帯用装置として使用できるようにしたものであって、上記問題点を解決するようにしたものではなかった。
また、次のものにおいては、記録媒体の駆動部と機器の操作部とを分離ユニットに搭載し、分離ユニットをスピーカに接続可能又はスピーカを内蔵した機器本体に装着することができたが、分離ユニットを自動車の車内に固定された機器本体から取り外して、分離ユニットを単独の記録媒体の再生装置やラジオ受信機として使用することできるようにしたものであって、上記問題点を解決するようにしたものではなかった。
また、更にその次のものにおいては、電子機器の本体の前面の操作パネルの装着の有無を検出して、操作パネルが電子機器の本体から取り外されている場合に、電子機器の本体をロック状態にすることができたが、操作パネルを取り外すことにより車載用電子機器の本体を自動車から取り外すことができないようにしたものであって、上記問題点を解決するようにしたものではなかった。
また、更にその次のものにおいては、着脱機構を有するカーステレオユニットを、受信用アンテナ、左右チャンネル用スピーカ、ＡＣ／ＤＣコンバータを内蔵した電源回路とを備えた筐体に装着することができたが、カーステレオユニットを自動車から取り外して、カーステレオユニットを別の携帯用筐体に装着して、カーステレオユニットをオーディオ機器として利用することができるようにしたものであって、上記問題点を解決するようにしたものではなかった。
本発明は、背景技術の有するこのような問題点に鑑みてなされたものであり、その目的とするところは、ＡＶ装置に装着されているドライブユニット等をユーザが好みに合わせて所望のユニットに交換することができるＡＶ装置を提供しようとするものである。
【課題を解決するための手段】
【０００４】
上記目的を達成するため本発明においては、映像音声データを記録媒体に記録再生するＡＶ装置であって、ＡＴＡＰＩ仕様のインタフェースを有し、接続プラグが背面に設けられたプラグイン式のドライブユニットと、ＡＶ装置の前面パネルに設けられ、前記ドライブユニットを装着するドライブユニット装着部と、前記ドライブユニットの接続プラグを接続する、前記ドライブユニット装着部に設けられた接続コネクタと、複数の操作キーと表示部とが前面に設けられ、接続プラグが背面に設けられたプラグイン式の操作ユニットと、ＡＶ装置の前面パネルに設けられ、前記操作ユニットを装着する操作ユニット装着部と、前記操作ユニットの接続プラグを接続する、前記操作ユニット装着部に設けられた接続コネクタと、複数の入出力端子が前面に設けられ、接続プラグが背面に設けられたプラグイン式の入出力ユニットと、ＡＶ装置の前面パネルに設けられ、前記入出力ユニットを装着する入出力ユニット装着部と、前記入出力ユニットの接続プラグを接続する、前記入出力ユニット装着部に設けられた接続コネクタとを備える。
更に、前記ドライブユニットが前記ドライブユニット装着部に挿入されたとき、ドライブユニットの装着を検出する検出手段と、前記検出手段によりドライブユニットの装着が検出されたとき、ＡＶ装置の電源をＯＦＦにする制御手段とを備える。
前記検出手段は、前記ドライブユニットが前記ドライブユニット装着部に挿入されたとき、前記ドライブユニットの接続プラグが前記ドライブユニット装着部の接続コネクタに接続される前に作動して、ドライブユニットの装着を検出するようにするとよい。
これらの手段により、ＡＶ装置に装着されているドライブユニット等をユーザが好みに合わせて所望のユニットに交換することができる。
【発明の効果】
【０００５】
請求項１記載の発明に係るＡＶ装置によれば、ＡＴＡＰＩ仕様のインタフェースを有し、接続プラグが背面に設けられたプラグイン式のドライブユニットをＡＶ装置の前面パネルに設けられたドライブユニット装着部に装着して、ドライブユニットの接続プラグをドライブユニット装着部に設けられた接続コネクタに接続し、複数の操作キーと表示部とが前面に設けられ、接続プラグが背面に設けられたプラグイン式の操作ユニットをＡＶ装置の前面パネルに設けられた操作ユニット装着部に装着して、操作ユニットの接続プラグを操作ユニット装着部に設けられた接続コネクタに接続し、複数の入出力端子が前面に設けられ、接続プラグが背面に設けられたプラグイン式の入出力ユニットをＡＶ装置の前面パネルに設けられた入出力ユニット装着部に装着して、入出力ユニットの接続プラグを入出力ユニット装着部に設けられた接続コネクタに接続するようにしているので、ＡＶ装置に装着されているドライブユニット等をユーザが好みに合わせて所望のユニットに交換することができる。また、ドライブユニットがドライブユニット装着部に挿入されたとき、ドライブユニットの接続プラグがドライブユニット装着部の接続コネクタに接続される前に作動して、ドライブユニットの装着を検出して、ドライブユニットの装着が検出されたとき、ＡＶ装置の電源をＯＦＦにするようにしているので、ドライブユニットの装着時に、ＡＶ装置の電源がＯＮになっていても、ＡＶ装置の電源がＯＦＦにされ、ドライブユニットの接続プラグを接続コネクタに安全に接続することができ、ＡＶ装置の電源をＯＮにすることにより、ドライブユニット装着部に装着されたＡＴＡＰＩ仕様のインタフェースを有するドライブユニットを認識することができる。
請求項２記載の発明に係るＡＶ装置によれば、ＡＴＡＰＩ仕様のインタフェースを有し、接続プラグが背面に設けられたプラグイン式のドライブユニットをＡＶ装置の前面パネルに設けられたドライブユニット装着部に装着して、ドライブユニットの接続プラグをドライブユニット装着部に設けられた接続コネクタに接続し、複数の操作キーと表示部とが前面に設けられ、接続プラグが背面に設けられたプラグイン式の操作ユニットをＡＶ装置の前面パネルに設けられた操作ユニット装着部に装着して、操作ユニットの接続プラグを操作ユニット装着部に設けられた接続コネクタに接続し、複数の入出力端子が前面に設けられ、接続プラグが背面に設けられたプラグイン式の入出力ユニットをＡＶ装置の前面パネルに設けられた入出力ユニット装着部に装着して、入出力ユニットの接続プラグを入出力ユニット装着部に設けられた接続コネクタに接続するようにしているので、ＡＶ装置に装着されているドライブユニット等をユーザが好みに合わせて所望のユニットに交換することができる。
請求項３記載の発明に係るＡＶ装置によれば、ドライブユニットがドライブユニット装着部に挿入されたとき、ドライブユニットの装着を検出して、ドライブユニットの装着が検出されたとき、ＡＶ装置の電源をＯＦＦにするようにしているので、ＡＶ装置の電源をＯＮにすることにより、ドライブユニット装着部に装着されたＡＴＡＰＩ仕様のインタフェースを有するドライブユニットを認識することができる。
請求項４記載の発明に係るＡＶ装置によれば、ドライブユニットがドライブユニット装着部に挿入されたとき、ドライブユニットの接続プラグがドライブユニット装着部の接続コネクタに接続される前に作動して、ドライブユニットの装着を検出するようにしているので、ドライブユニットの装着時に、ＡＶ装置の電源がＯＮになっていても、ＡＶ装置の電源がＯＦＦにされ、ドライブユニットの接続プラグを接続コネクタに安全に接続することができる。
【発明を実施するための最良の形態】
【０００６】
以下、適宜図面を参照しながら本発明を実施するための最良の形態を詳述する。図１は本発明の一実施例のＡＶ装置を示す斜視図であり、図２は本発明の一実施例のＡＶ装置の部分断面を示す平面図であり、図３は本発明の一実施例のＡＶ装置のドライブユニット装着部の断面を示す側面図であり、図４は本発明の一実施例のＡＶ装置を示すブロック図であり、図５は本発明の一実施例のＡＶ装置の動作を示すフローチャートである。
まず、図１の本発明の一実施例のＡＶ装置を示す斜視図を基に説明する。
ＡＶ装置１０は、ＡＴＡＰＩ（ＡＴ  Ａｔｔａｃｈｍｅｎｔ  Ｐａｃｋｅｔ  Ｉｎｔｅｒｆａｃｅ）仕様のインタフェースを有するプラグイン式のＤＶＤプレイヤ、ＤＶＤレコーダ、記憶容量が異なるＨＤＤ（Ｈａｒｄ  Ｄｉｓｋ  Ｄｒｉｖｅ）等の各種ドライブユニット２０を装着するドライブユニット装着部１１と、複数の操作キーと表示部とが前面に設けられたプラグイン式の各種操作ユニット３０を装着する操作ユニット装着部１２と、ＤＶ（Ｄｉｇｉｔａｌ  Ｖｉｄｅｏ）端子、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４端子等の複数の入出力端子が前面に設けられたプラグイン式の各種入出力ユニット４０を装着する入出力ユニット装着部１３と、ＡＶ装置１０の前面パネルに設けられたＡＶ装置１０の電源をＯＮ／ＯＦＦする電源スイッチ１８とを備えている。
また、図２の本発明の一実施例のＡＶ装置の部分断面を示す平面図を基に説明する。
ＡＶ装置１０のドライブユニット装着部１１には、プラグイン式の各種ドライブユニット２０を接続するＡＴＡＰＩ仕様のインタフェース端子と電源供給端子とを有する接続コネクタ１１ａが設けられ、プラグイン式の各種ドライブユニット２０をＡＶ装置１０のドライブユニット装着部１１に挿入したときに、ドライブユニット２０の装着を検出する検出スイッチ１１ｂが設けられている。また、ＡＶ装置１０の操作ユニット装着部１２には、プラグイン式の各種操作ユニット３０を接続するインタフェース端子と電源供給端子とを有する接続コネクタ１２ａが設けられている。また、ＡＶ装置１０の入出力ユニット装着部１３には、プラグイン式の各種入出力ユニット４０を接続するＤＶ端子、ＩＥＥＥ１３９４端子等のインタフェース端子と電源供給端子とを有する接続コネクタ１３ａが設けられている。
また、図３の本発明の一実施例のＡＶ装置のドライブユニット装着部の断面を示す側面図を基に説明する。
ＡＴＡＰＩ仕様のインタフェースを有するプラグイン式の各種ドライブユニット２０の背面には、図３（ａ）に示すように、ＡＶ装置１０のドライブ装着部１１に設けられた接続コネクタ１１ａと接続するための接続プラグ２０ａが設けられている。また、ドライブユニット２０の装着を検出する検出スイッチ１１ｂは、図３（ｂ）に示すように、ドライブユニット２０をＡＶ装置１０のドライブユニット装着部１１に挿入したとき、ドライブユニット２０の接続プラグ２０ａがドライブユニット装着部１１の接続コネクタ１１ａに接続される前に作動して、ドライブユニット２０の装着を検出するようになっている。また、プラグイン式の各種操作ユニット３０の背面には、ＡＶ装置１０の操作ユニット装着部１２に設けられた接続コネクタ１２ａと接続するための接続プラグが設けられている（図示せず）。また、プラグイン式の各種入出力ユニット４０の背面には、ＡＶ装置１０の入出力ユニット装着部１３に設けられた接続コネクタ１３ａと接続するための接続プラグが設けられている（図示せず）。
また、図４の本発明の一実施例のＡＶ装置を示すブロック図を基に説明する。
ＡＶ装置１０は、ドライブユニット装着部１１の接続コネクタ１１ａに接続されたＡＴＡＰＩ仕様のインタフェースを有するドライブユニット２０を認識して、ドライブユニット装着部１１に装着されたドライブユニット２０と操作ユニット３０の表示部とを制御する制御回路１４と、ドライブユニット装着部１１に設けられた接続コネクタ１１ａと、操作ユニット装着部１２に設けられた接続コネクタ１２ａと、ドライブユニット装着部１１の接続コネクタ１１ａ、操作ユニット装着部１２の接続コネクタ１２ａ、入出力ユニット装着部１３の接続コネクタ１３ａに信号を入出力する入出力回路１５と、入出力回路１５から入力された映像音声データの信号を処理するとともに、入出力回路１５に出力する映像音声データの信号を処理する信号処理回路１６と、ＡＶ装置１０のシステム全体を制御するマイコン１７と、ＡＶ装置１０の電源をＯＮ／ＯＦＦする電源スイッチ１８と、ＡＶ装置１０の電源のＯＮ／ＯＦＦを制御する電源制御回路１９とで構成されている。
以上のように構成されたＡＶ装置について、以下その動作について説明する。
電源スイッチ１８が操作されると、マイコン１７は、電源制御回路１９に制御信号を送出して、ＡＶ装置１０の電源をＯＮにして接続コネクタ１１ａの電源供給端子からドライブユニット装着部１１に装着されているドライブユニット２０に電源を供給し、制御回路１４に制御信号を送出して、ＡＴＡＰＩ仕様のインタフェースを介して接続コネクタ１１ａから入出力回路１５に入力された信号に基づいてドライブユニット装着部１１に装着されているドライブユニット２０を認識し、制御回路１４に制御信号を送出して、ドライブユニット装着部１１に装着されているドライブユニット２０の装着状態を操作ユニット装着部１２に装着されている操作ユニット３０の表示部に表示する。
また、ドライブユニット装着部１１の検出スイッチ１１ｂの作動が検出されると、マイコン１７は、ドライブユニット２０がドライブユニット装着部１１に装着されたと判別し、電源制御回路１９に制御信号を送出して、ドライブユニット装着部１１に装着されたＡＴＡＰＩ仕様のインタフェースを有するドライブユニット２０を認識するために、ＡＶ装置１０の電源を一旦ＯＦＦにする。
そして、電源スイッチ１８が操作されると、マイコン１７は、電源制御回路１９に制御信号を送出して、ＡＶ装置１０の電源をＯＮにして接続コネクタ１１ａの電源供給端子からドライブユニット装着部１１に装着されたドライブユニット２０に電源を供給し、制御回路１４に制御信号を送出して、ＡＴＡＰＩ仕様のインタフェースを介して接続コネクタ１１ａから入出力回路１５に入力された信号に基づいてドライブユニット装着部１１に装着されたドライブユニット２０を認識し、制御回路１４に制御信号を送出して、ドライブユニット装着部１１に装着されているドライブユニット２０の装着状態を操作ユニット装着部１２に装着されている操作ユニット３０の表示部に表示する。
また、操作ユニット３０が操作ユニット装着部１２に挿入されて接続コネクタ１２ａに接続されると、接続コネクタ１２ａの電源供給端子から操作ユニット３０に電源が供給される。操作ユニット装着部１２に装着された操作ユニット３０の複数の操作キー、表示部等のインタフェース端子は、接続コネクタ１２ａの所定の端子にそれぞれ接続され、ＡＶ装置１０の入出力回路１５に接続される。
また、入出力ユニット４０が入出力ユニット装着部１３に挿入されて接続コネクタ１３ａに接続されると、接続コネクタ１３ａの電源供給端子から入出力ユニット１３に電源が供給される。入出力ユニット装着部１３に装着された入出力ユニット４０のＤＶ端子、ＩＥＥＥ１３９４端子等のインタフェース端子は、接続コネクタ１３ａの所定の端子にそれぞれ接続され、ＡＶ装置１０の入出力回路１５に接続される。
また、図５の本発明の一実施例のＡＶ装置の動作を示すフローチャートを基に説明する。
電源スイッチの操作によりＡＶ装置の電源がＯＮにされると、ステップＳ１からステップＳ２に進み、ステップＳ２で、ドライブユニットがドライブユニット装着部に装着されたか否かが判断され、ドライブユニットがドライブユニット装着部に装着された場合、ステップＳ３に進み、ドライブユニット装着部に装着されているドライブユニットが交換されていない場合、ステップＳ５に進む。
ステップＳ３で、ドライブユニット装着部に装着されたＡＴＡＰＩ仕様のインタフェースを有するドライブユニットを認識するために、ＡＶ装置の電源が一旦ＯＦＦにされて、ステップＳ４に進む。
ステップＳ４で、電源スイッチの操作によりＡＶ装置の電源がＯＮにされたか否かが判断され、電源スイッチの操作によりＡＶ装置の電源がＯＮにされた場合、ステップＳ５に進み、電源スイッチの操作によりＡＶ装置の電源がＯＮにされていない場合、ステップＳ６に進んで処理を終了する。
ステップＳ５で、ドライブユニット装着部に装着されたドライブユニットがＡＴＡＰＩ仕様のインタフェースを介して認識されて、ドライブユニット装着部に装着されているドライブユニットの装着状態が操作ユニット装着部に装着されている操作ユニットの表示部に表示され、ステップＳ６に進んで処理を終了する。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例のＡＶ装置を示す斜視図である。
【図２】本発明の一実施例のＡＶ装置の部分断面を示す平面図である。
【図３】本発明の一実施例のＡＶ装置のドライブユニット装着部の断面を示す側面図である。
【図４】本発明の一実施例のＡＶ装置を示すブロック図である。
【図５】本発明の一実施例のＡＶ装置の動作を示すフローチャートである。
【符号の説明】
【０００８】
１０  ＡＶ装置
１１  ドライブユニット装着部
１１ａ  接続コネクタ
１１ｂ  検出スイッチ
１２  操作ユニット装着部
１２ａ  接続コネクタ
１３  入出力ユニット装着部
１３ａ  接続コネクタ
１４  制御回路
１５  入出力回路
１６  信号処理回路
１７  マイコン
１８  電源スイッチ
１９  電源制御回路
２０  ドライブユニット
２０ａ  接続プラグ
３０  操作ユニット
４０  入出力ユニット
【図１】
0004508055.tif 000002
【図２】
0004508055.tif 000003
【図３】
0004508055.tif 000004
【図４】
0004508055.tif 000005
【図５】
0004508055.tif 000006